(57)【要約】【課題】ペイントを途中まで使用した後に残ったペイントを保存しておいても、ペイントの上面に膜が張ることなく、ペイントが揮発することもない揮発性液体保存用部材を提供することを目的とする。【解決手段】揮発性液体保存用部材１０を、缶１２内のペイント（揮発性液体）１４の上面に密着させるシート状部材１６と、シート状部材１６の周囲に固定された枠部材１８とを備えて構成し、シート状部材１６を、缶１２内のペイント１４の上面との間の空気を抜く空気抜き手段２０を備えて構成し、この空気抜き手段２０を、シート状部材１６の中央に設けられた開口部２２と、開口部２２を覆う逆流防止手段２４とから構成した。また、逆流防止手段２４を、シート状部材１６と同じように、樹脂フィルム等により薄膜状であり軟体状に構成した。【選択図】図１
2007153419.tif 000002
【特許請求の範囲】
【請求項１】
容器内の揮発性液体の上面に密着させるシート状部材を備え、
前記シート状部材が、該上面との間の空気を抜く空気抜き手段を備えた揮発性液体保存用部材。
【請求項２】
前記シート状部材の周囲に固定された枠部材を備えた請求項１に記載する揮発性液体保存用部材。
【請求項３】
前記シート状部材又は枠部材に、持ち上げるための取っ手部材を備えた請求項２に記載する揮発性液体保存用部材。
【請求項４】
前記空気抜き手段が、空気を抜く方向と反対方向に逆流させない逆流防止手段を備えた請求項１乃至請求項３のいずれかに記載する揮発性液体保存用部材。
【発明の詳細な説明】
【技術分野】
【０００１】
本発明は、缶等の容器に入ったペイント等の揮発性液体を使用した後、残った揮発性液体を保存しておくための揮発性液体保存用部材に関する。
【背景技術】
【０００２】
従来から、缶に入ったペイントが販売されて使用されている。例えば、図６（ａ）に示す缶１にペイントが入れられて販売されている。このペイントを業務として使用する場合は、通常、図６（ｂ）に示すように、上面蓋２を切り取って使用する。このため、ペイント３を途中まで使用した後に残ったペイント３を保存しておくと、ペイント３の上面に膜が張ったり、揮発して量が減ったりした。これにより、ペイント３を保存した後再び使用する場合には、膜を取り去らなければならず、作業効率が悪かった。また、揮発によってペイント３の量が減るため、コスト上問題があった。さらに、揮発による周囲の環境への影響について改善の余地があった。なお、塗料の乾燥防止方法について出願されているが（例えば、特許文献１参照。）、大掛かりな装置が必要となるものである。
【特許文献１】実開昭５６−５０９１５号公報
【発明の開示】
【発明が解決しようとする課題】
【０００３】
そこで、本発明者は、このような課題の原因を究明してこのような課題を解決するべく、鋭意研究を重ねた結果、本発明に至ったのである。
【０００４】
すなわち、本発明は、ペイントを途中まで使用した後に残ったペイントを保存しておいても、ペイントの上面に膜が張ることなく、ペイントが揮発することもない揮発性液体保存用部材を提供することを目的とする。
【課題を解決するための手段】
【０００５】
本発明の揮発性液体保存用部材は、容器内の揮発性液体の上面に密着させるシート状部材と、前記シート状部材の周囲に固定された枠部材とを備え、前記シート状部材が、該上面との間の空気を抜く空気抜き手段を備えたことを特徴とする。
【０００６】
本発明の揮発性液体保存用部材は、前記揮発性液体保存用部材において、前記シート状部材又は枠部材に、持ち上げるための取っ手部材を備えたことを特徴とする。
【０００７】
本発明の揮発性液体保存用部材は、前記揮発性液体保存用部材において、前記空気抜き手段が、空気を抜く方向と反対方向に逆流させない逆流防止手段を備えたことを特徴とする。
【発明の効果】
【０００８】
本発明の揮発性液体保存用部材によれば、容器内の揮発性液体の上に載置し、揮発性液体の上面との間の空気を空気抜き手段によって抜くことにより、揮発性液体の上面に密着させることができる。このため、ペイントを途中まで使用した後に残ったペイントを保存しておいても、容器内の揮発性液体の上面が空気に触れるのを防止でき、ペイントの上面に膜が張ることなく、ペイントが揮発することもない。
【０００９】
また、取っ手部材を備えた本発明の揮発性液体保存用部材によれば、使用後には、取っ手部材を指又は工具で保持して取り除くことができる。このため、取り除くときに、揮発性液体によって指又は工具が汚れることなく容易に取り除くことができる。
【発明を実施するための最良の形態】
【００１０】
次に、本発明に係る揮発性液体保存用部材の実施の形態について、図面に基づいて詳しく説明する。
【００１１】
図１乃至図４において、符号１０は、本発明の揮発性液体保存用部材である。この揮発性液体保存用部材１０は、缶（容器）１２内のペイント（揮発性液体）１４の上面に密着させるシート状部材１６と、シート状部材１６の周囲に固定された枠部材１８とを備えている。
【００１２】
シート状部材１６は、樹脂フィルム等により薄膜状であり軟体状に構成されている。原材料の樹脂としては、ポリエチレン、ポリスチレン、ポリ塩化ビニル、ポリアミド等、薄膜状であり軟体状に形成できるものであれば特に限定されない。
【００１３】
このシート状部材１６は、缶１２内のペイント１４の上面との間の空気を抜く空気抜き手段２０を備えている。この空気抜き手段２０は、シート状部材１６の中央に設けられた開口部２２と、開口部２２を覆う逆流防止手段２４とから構成されている。逆流防止手段２４は、シート状部材１６と同じように、樹脂フィルム等により薄膜状であり軟体状に構成されている。逆流防止手段２４は、四角形の開口部２２の図１における左辺、上辺及び下辺の周囲に固定された第一の薄膜２６と、右辺の周囲に固定された第二の薄膜２８とが、抜き孔３０を形成しつつ互いに貼着されて構成されている。すなわち、抜き孔３０は、この部分のみ第一の薄膜２６及び第二の薄膜２８が貼着されないことにより構成され、通常は閉じているか又は薄く開口している。
【００１４】
枠部材１８は、変形しやすいナイロン紐等から構成され、揮発性液体保存用部材１０全体としてペイント１４の上面に浮かぶように構成されている。シート状部材１６の周辺に固定されてシート状部材１６を補強している。シート状部材１６の端部付近を枠部材１８の周囲に巻くようにしてシート状部材１６の周辺に固定されている。なお、シート状部材１６の周囲に渡って設けられた筒状部にナイロン紐を差し込んでいってもよい。また、ナイロン紐の一端の凸部を設け、他端に凹部を設け、凸部を凹部に挿入してループ状にしてもよい。４角形の枠部材１８の頂点付近には、指又は工具で保持して持ち上げるための取っ手部材３２を備えている。取っ手部材３２は、帯状に構成され、その根元付近が枠部材１８及びシート状部材１６に強固に固着され、その先端付近は持ち上げやすいようにシート状部材１６から剥離できるように構成され、または、剥離して構成されている。取っ手部材３２は、持ち上げる時に破損しないように強靭で、且つ持ち上げやすいように変形可能な樹脂又は繊維から構成されている。特には、梱包の周囲に巻かれる帯状の紐等が好ましい。
【００１５】
このような構成の本発明に係る揮発性液体保存用部材１０の作用及び効果について以下に説明する。
【００１６】
缶１２に入ったペイント１４を業務として使用する場合、缶１２の上面蓋を切断することにより上面蓋片３４が残る。作業者は、この状態で缶１２の中のペイント１４を使用して塗布作業を行う。塗布作業が一旦終了すると、ペイント１４が缶１２内に残ることとなる。
【００１７】
そこで、図２に示すように、本発明の揮発性液体保存用部材１０を、この缶１２内に入れてペイント１４上に載置することにより、揮発性液体保存用部材１０はペイント１４上に浮かぶ。ここで、揮発性液体保存用部材１０のシート状部材１６とペイント１４の上面との間に空気３６が残った場合、空気抜き手段２０の上面付近を軽く押すことにより、図３に示すように、空気３６が抜き孔３０から抜かれていく。この時、空気３６の圧力により、抜き孔３０は膨張する。
【００１８】
このようにして抜き孔３０から空気３６を抜くと、図４に示すように、シート状部材１６の下面がペイント１４の上面に密着する。また、揮発性液体保存用部材１０の周囲が缶１２の内壁に密着する。なお、揮発性液体保存用部材１０の周囲と缶１２の内壁との間を密閉して空気が入らないように、揮発性液体保存用部材１０の周囲にシール部材を設けてもよい。この時、逆流防止手段２４はペイント１４によって濡れているため、シート状部材１６の上面に付着し、第一の薄膜２６と第二の薄膜２８も付着し、抜き孔３０は閉じた状態となる。このため、抜き孔３０から空気が逆流することはない。
【００１９】
この状態で次回使用する時まで保存することにより、ペイント１４の上面が空気に触れないため、ペイント１４が揮発することがない。また、ペイント１４の上面が空気に触れないため、ペイント１４の上面が固化して膜が張ることがない。このようにしてペイント１４を保存した後、再び使用する場合には、取っ手部材３２を指又は工具で保持して、揮発性液体保存用部材１０を持ち上げて缶１２の外へ出し、廃棄処分する。シート状部材１６自体を指又は工具で保持して取り出してもよいが、取っ手部材３２を指又は工具で保持して取り出せば、指又は工具がペイント１４によって汚れることはない。なお、揮発性液体保存用部材１０を再使用してもよい。
【００２０】
以上、本発明の一実施形態について図面に基いて説明したが、本発明は、上述の実施形態には限定されない。
【００２１】
例えば、揮発性液体保存用部材１０において、図５に示すように、逆流防止手段２４の抜き孔３０の周囲に弾性を有するワイヤー３８を備えてもよい。この場合、通常は、図５（ａ）に示すように、ワイヤー３８の弾性力によって抜き孔３０が閉じている。一方で、シート状部材１６の下面とペイント１４の上面との間の空気３６を抜く場合には、図５（ｂ）に示すように，抜き孔３０の両側から力を付与することにより、抜き孔３０がワイヤー３８の付勢力に抗して開口する。このような構成にすれば、抜き孔３０からの空気の逆流を確実に防止できる。なお、抜き孔３０から空気を抜くときに、抜き孔３０にストローを挿入してもよい。
【００２２】
以上、本発明の実施形態について図面に基いて説明したが、本発明は、図示した実施形態には限定されない。
【００２３】
例えば、本発明の揮発性液体保存用部材を使用する揮発性液体は、ペイントに限定されず、シンナーやアルコール等の揮発性液体であってもよい。また、本発明の揮発性液体保存用部材の形状は４角形に限定されない。例えば、缶が円形である場合には、本発明の揮発性液体保存用部材も円形でなければならない。また、取っ手部材は、紐や樹脂片であってもよい。また、枠部材として形状記憶合金を使用してもよいが、缶の内面に密着しながら浮き上がることのないように、軟体であることが望ましい。
【００２４】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２５】
本発明の揮発性液体保存用部材によれば、ペイントを途中まで使用した後に残ったペイントを保存しておいても、容器内の揮発性液体の上面が空気に触れるのを防止でき、ペイントの上面に膜が張ることなく、ペイントが揮発することもない。このため、揮発性液体の保存のために広く利用できる。
【図面の簡単な説明】
【００２６】
【図１】本発明の揮発性液体保存用部材を示す平面図である。
【図２】図１の揮発性液体保存用部材の使用状態を示す正面断面図である。
【図３】図１の揮発性液体保存用部材の他の使用状態を示す正面断面図である。
【図４】図１の揮発性液体保存用部材の更に他の使用状態を示す正面断面図である。
【図５】本発明の揮発性液体保存用部材の他の実施形態を示す図であり、同図（ａ）は抜き孔が閉じた状態を示す側面断面図であり、同図（ｂ）は抜き孔が開いた状態を示す側面断面図である。
【図６】ペイントを入れるための従来の缶を示す図であり、同図（ａ）はペイントを使用する前の状態を示す斜視図であり、同図（ｂ）は上面蓋を切断してペイントを使用している時の状態を示す斜視図である。
【符号の説明】
【００２７】
１０：揮発性液体保存用部材
１２：缶（容器）
１４：ペイント（揮発性液体）
１６：シート状部材
１８：枠部材
２０：空気抜き手段
２２：開口部
２４：逆流防止手段
２６：第一の薄膜
２８：第二の薄膜
３０：抜き孔
３２：取っ手
３４：上面蓋片
３６：空気
３８：ワイヤー
【図１】
2007153419.tif 000003
【図２】
2007153419.tif 000004
【図３】
2007153419.tif 000005
【図４】
2007153419.tif 000006
【図５】
2007153419.tif 000007
【図６】
2007153419.tif 000008